(57)【特許請求の範囲】
【請求項１】
合成樹脂製門形平板の両脚部間の溝部の奥に抜止め爪部を半円形に配列した結束具を使用し、結束具の両脚部を閉鎖方向へ押圧して交差させ、両脚部をたすき掛け、または圧着して袋を結束する袋結束機に装備される結束具支持部材であって、結束具送り装置の前端部に設けられ、結束具の両脚部を支持して袋の収束部位へ外嵌する袋結束機のフォーク形結束具テーブルにおいて、フォーク部間に結束具の抜止め爪部の下面を支持する半円形の爪支持部を形成したことを特徴とする袋結束機の結束具テーブル。
【発明の詳細な説明】
【０００１】
【発明の属する技術分野】
この発明は、食品等の包装用樹脂袋を結束する袋結束機の結束具を支持する結束具テーブルに関するものであり、特に、結束具の変形を防止した結束具テーブルに関するものである。
【０００２】
【従来の技術及び発明が解決しようとする課題】
例えば、青果物やパン等の商品を収納した樹脂製袋の開口部を迅速確実に結束するために、本願出願人は樹脂板の結束具を袋の収束部へ自動的に締着する袋結束機（特願平８−２６７５４２号）を提案している。
【０００３】
図５は結束具１を示し、樹脂シートを打ち抜き加工して多数の結束具１を直列接続したベルト状に成形されている。結束具１の左右の脚部２の内側基部には内歯ギヤ状に抜止め爪部３を設け、袋結束機の送り装置のピンを係合させるための穴４を外側縁部近傍に設けている。また、脚部２の先端部位には外側面から内側前方へ向かう溝５によりフック部６が形成されている。
【０００４】
袋結束機（図示せず）は、結束具１の送りから締着までの１サイクルを自動的に行うように構成され、袋挿入用案内溝へ袋の結束部位を挿入すると、トリガスイッチによりモータが起動する。そして、モータがギヤ及びカム機構を介して結束具送り装置を前方へ駆動し、送り装置の先端部に設けた結束具テーブル上の結束具を袋の収束部位に外嵌した後に結束具の両脚部を交差させ、結束具圧着装置が、図６に示すように、結束具１の交差部位にダボＤを成形してかしめる。圧着終了時には結束具送り装置が待機位置へ後退し、作業者が結束された袋Ｂを案内溝の下方へ引き抜いて１サイクルの作業が完了する。
【０００５】
しかし、結束具圧着工程が完全に終了する以前に作業者が袋を下方へ引いた場合は、袋によって結束具の抜止め爪部が下方へ引かれて、図７に示すように抜止め爪部３が下方へ折れ曲がったり、図８に示すように結束具１の外縁部が上方に反った逆ドーム形になることがあり、袋を引くタイミングに注意が必要である。
【０００６】
そこで、作業者が袋を引くタイミングにかかわらず、結束具１が図６に示す正常な形で装着されるようにして作業のミスを防止し、操作性を改善するために解決すべき技術的課題が生じてくるのであり、本発明は上記課題を解決することを目的とする。
【０００７】
【課題を解決するための手段】
この発明は、上記目的を達成するために提案するものであり、合成樹脂製門形平板の両脚部間の溝部の奥に抜止め爪部を半円形に配列した結束具を使用し、結束具の両脚部を閉鎖方向へ押圧して交差させ、両脚部をたすき掛け、または圧着して袋を結束する袋結束機に装備される結束具支持部材であって、結束具送り装置の前端部に設けられ、結束具の両脚部を支持して袋の収束部位へ外嵌する袋結束機のフォーク形結束具テーブルにおいて、フォーク部間に結束具の抜止め爪部の下面を支持する半円形の爪支持部を形成したことを特徴とする袋結束機の結束具テーブルを提供するものである。
【０００８】
【発明の実施の形態】
以下、この発明の実施の一形態を図に従って説明する。図１は袋結束機１１を示し、向かって右側は結束具マガジン部１２となっており、ベルト状に連結された結束具のロールが収容される。結束具マガジン部１２から左へ突出するテーブル部１３には、前面左右中間部から奥に向かった後に左へ屈折する平面Ｌ字形の案内溝１４が形成されている。テーブル部１３内には案内溝１４の右に結束具の送り装置１５が内蔵され、左には圧着装置１６が内蔵されている。
【０００９】
圧着装置１６の後方にはカッター装置１７が配置され、テーブル部１３の上面に回動自在に枢着したアーム部１７ａを手前側へ回動して、前部の案内溝１７ｂをテーブル部１３の案内溝１４と合致させれば、結束動作と連動してアーム部１７ａ内を前後にスライドするカッター刃（図示せず）が結束した袋の上部余剰部分をカットする。
【００１０】
送り装置１５と圧着装置１６とカッター装置１７は、減速ギヤ機構及びカム及びリンク機構を介して一台のモータ（図示せず）により駆動される。案内溝１４の左側にはトリガレバー１８が枢着されていて、トリガレバー１８の先端部は右側に延びて案内溝１４を横断しており、袋の開口部を収束して案内溝１４の奥へ挿入すると、トリガレバー１８が袋に押されて回動し、テーブル部１３内のトリガスイッチ（図示せず）がオンしてモータが起動する。
【００１１】
図２は送り装置１５と圧着装置１６の配置を示し、同図に示すように、袋結束機１１のベースに設けたキャリヤガイド１９にキャリヤ２０が前後スライド自在に係合し、キャリヤ２０が圧着装置１６に向かって前進しつつ結束具１を袋に外嵌し、袋に装着された結束具１を圧着装置１６が締結する。
【００１２】
送り装置１５のキャリヤ２０上に前後スライド自在に装着された結束具ガイド２１は、上ケースと下ケースとからなり、上ケースと下ケースとの間隙は中高（断面への字形）の結束具通路となっている。結束具ガイド２１の前部（図において右）には結束具テーブル２２が形成され、結束具通路を通じて前方へ供給される結束具１が結束具テーブル２２上に露出する。
【００１３】
図３に示すように、結束具テーブル２２の平面形状は、結束具１とほぼ相似形であり、左右両側から前方（図３において下）へフォーク部２２ａが突出し、フォーク部２２ａ間の溝部の奥には結束具１の抜止め爪部３を下から支持する爪支持部２３が半円形状に形成されている。図３（ｂ）に示すように、結束具テーブル２２は前方からみて右半分が左半分よりも高く、結束具１の両脚部を閉じる際に右脚部が左脚部の上に重なるように形成されている。
【００１４】
図２に示すように、結束具テーブル２２の後方には左右一対のＣ形結束アーム２４が同軸に枢着され、結束アーム２４の後方の前後スライド自在なアームシフタ２５と結束アーム２４とがリンク２６によって連結されている。結束アーム２４の先端部には垂直方向のピン２７が突設され、ピン２７は結束具１の両側の穴４に係合する。また、アームシフタ２５に設けた溝２５ａには結束具ガイド２１に固定したピン２１ａが係合している。
【００１５】
キャリヤ２０の下方には大径の主ギヤ２８が配置され、主ギヤ２８の外縁近傍に設けたクランクローラ２９がキャリヤ２０の後部に形成したカム溝２０ａに係合し、主ギヤ２８は複数段の減速ギヤ（図示せず）を介してモータに結合されている。
【００１６】
図示は省略するが、キャリヤ２０と結束具ガイド２１とには揺動する爪を利用した公知の送り爪機構（図示せず）が介装され、結束具ガイド２１に枢着した送り爪がキャリヤ２０に係合し、結束具ガイド２１はキャリヤ２０に押されてキャリヤ２０とともに前進する。そして、一定距離進んだときに結束具ガイド２１がストッパに当接して停止するとともに送り爪がキャリヤ２０から離脱し、キャリヤ２０並びにアームシフタ２５が更に前進し、左右一対の結束アーム２４がアームシフタ２５に押されて閉鎖方向へ回動する。
【００１７】
主ギヤ２８の軸には、切欠き３０ａを設けた円板３０を嵌着し、フレーム（図示せず）に固定したフォトインタラプタ３１の発光部と受光部とが円板３０の外縁部を挟んで上下で対向している。フォトインタラプタ３１はモータ制御部（図示せず）に接続され、モータ制御部がフォトインタラプタ３１の出力に基づいてキャリヤ２０の停止位置を制御する。
【００１８】
圧着装置１６の構成は公知であるので詳細な説明は省略するが、パンチを立設した下側のプレートと、ダイであるピン穴を設けた上方のダイプレートとが結束具１の両脚部２の交差部を上下から挟圧してダボを成形し、ダイプレートの上方のかしめプレートがかしめピンによりピン穴の上方からダボをかしめる。
【００１９】
次に、袋結束機１１の動作を説明する。青果物等を投入した樹脂袋の上端開口部を手で束ねつつ図１に示す案内溝１４へ挿入すると、トリガレバー１８が袋に押されて回動し、トリガレバー１８がテーブル部１３内のトリガスイッチをオンしてモータが起動する。
【００２０】
モータによって主ギヤ２８が回転すると、図２に示すキャリヤ２０並びに結束具ガイド２１がクランクローラ２９に押されて前方に移動する。連結形結束具１の先頭の結束具は、結束アーム２４のピン２７に係合しているので、結束具ガイド２１とともに前進して袋の収束部位に外嵌される。なお、このとき、図示は省略するが、従来形の袋結束機と同様に結束具ガイド２１の上面に装着したカッターが先頭の結束具と次列の結束具との連結部を切断する。
【００２１】
そして、結束具ガイド２１の結束具テーブル２２上の結束具が圧着装置１６の前部内に入り込んだ位置で、結束具ガイド２１の送り爪がキャリヤ２０から外れて結束具ガイド２１は停止し、キャリヤ２０並びにアームシフタ２５は更に前進する。これにより、結束具ガイド２１に枢着されている左右一対の結束アーム２４が閉鎖方向へ回動して、図４（ａ１）（ａ２）に示す状態から同図（ｂ１）（ｂ２）及び（ｃ１）（ｃ２）に示すように、先頭の結束具１の両脚部２を交差させ、結束具１はドーム形に弾性変形する。
【００２２】
このとき、結束具１の抜止め爪部３は、結束具テーブル２２の爪支持部２３によって支持されているので、結束具を外嵌した袋（図示せず）が下に引っ張られたとしても、抜止め爪部３が折れ曲がることがなく、結束具１が逆ドーム形に反ることもない。
【００２３】
図４（ｃ１）（ｃ２）に示す状態となったときに、圧着装置１６のプレスピンは結束具１の両脚部２の直下に位置しており、結束具１の両脚部２の交差部にダボを成形し、ダボをかしめる。
【００２４】
そして、圧着装置１６の上下のプレートが開いて待機位置に復帰し、送り装置１５も復帰行程に入り、キャリア２０が一定距離後退した後に、結束具ガイド２１のガイド送り爪がキャリア２０に係合して結束具ガイド２１がキャリア２０と一体に後退し、円板３０とフォトインタラプタ３１とにより待機位置に達したことを検出されて図２に示す待機位置で停止する。圧着後に作業者が袋を下に引けば、袋は袋結束機１１のテーブル部１３の下方へ引き抜かれる。
【００２５】
尚、本発明は上記一実施例に限定するものではなく、本発明の技術的範囲内において種々の改変ができ、本発明がそれらの改変されたものに及ぶことは当然である。
【００２６】
【発明の効果】
以上説明したように、本発明の袋結束機の結束具テーブルは、結束具の抜止め爪部の下面を支持する爪支持部を設けているので、結束工程の終了以前に袋が引き抜き方向へ引かれても、抜止め爪部が下方へ折れ曲がったり、結束具が逆ドーム形に反転することがなく、結束の失敗を防止でき、操作性と作業性が向上する。
【図面の簡単な説明】
【図１】本発明の実施形態を示し、袋結束機の斜視図。
【図２】袋結束機の送り装置と圧着装置を示す平面図である。
【図３】結束具テーブルを示し、（ａ）は平面図、（ｂ）は正面図である。
【図４】結束具の閉鎖行程を示し、（ａ１）（ｂ１）（ｃ１）は平面図であり、（ａ２）（ｂ２）（ｃ２）は正面図である。
【図５】結束具の平面図。
【図６】袋へ正常な形状で装着された結束具を示す解説図である。
【図７】結束具の抜止め爪が下方に折れ曲がった状態を示す断面図である。
【図８】袋へ逆ドーム形に装着された結束具を示す解説図である。
【符号の説明】
１        結束具
２        脚部
３        抜止め爪部
４        穴
１１        袋結束機
１２        結束具マガジン部
１３        テーブル部
１４        案内溝
１５        送り装置
１６        圧着装置
１７        カッター装置
１８        トリガレバー
２０        キャリヤ
２１        結束具ガイド
２２        結束具テーブル
２２ａ      フォーク部
２３        爪支持部
２４        結束アーム
２５        アームシフタ
２６        リンク
２７        ピン
２８        主ギヤ
【図１】
0004032485.tif 000002
【図２】
0004032485.tif 000003
【図３】
0004032485.tif 000004
【図４】
0004032485.tif 000005
【図５】
0004032485.tif 000006
【図６】
0004032485.tif 000007
【図７】
0004032485.tif 000008
【図８】
0004032485.tif 000009